(57)【要約】【課題】  本発明は、消費電力の上昇を防止しつつ高揚程化できるポンプ装置を提供する。【解決手段】  ポンプ装置１０のポンプ部４０は、ケーシング５０と、ケーシング５０内に収容されるとともに回転軸２０に設けられて回転軸２０の回転に伴って回転可能なインペラ８０，９０とを備える。第１のインペラ８０は片面のみ羽根溝が形成される。第２のインペラ９０は片面のみ羽根溝が形成される。ケーシング５０は、回転軸２０が回転可能に挿入されるケーシングカバー５４と、ケーシングカバー５４との間にインペラ８０，９０を収容するケーシング本体６０と、第１のインペラ８０と第２のインペラ９０との間に配置されて回転軸２０が回転可能に挿入される中間ケーシング７０であって、第１のインペラ８０が収容される第１のポンプ室Ｐ１と第２のインペラ９０が収容される第２のポンプ室Ｐ２とを仕切る中間ケーシング７０とを備える。【選択図】図１
2016098685.tif 000002
【特許請求の範囲】
【請求項１】
回転軸と、
前記回転軸を回転する駆動部と、
前記回転軸の少なくとも一端部が収容されるケーシングと、前記ケーシング内に収容されるとともに前記回転軸に設けられて前記回転軸の回転に伴って回転可能な第１のインペラと、前記ケーシング内に収容されるとともに前記回転軸に設けられて前記回転軸の回転に伴って回転可能な第２のインペラとを具備するポンプ部と
を具備し、
前記第１のインペラは片面のみ羽根溝が形成され、
前記第２のインペラは片面のみ羽根溝が形成され、
前記ケーシングは、
前記回転軸が回転可能に挿入される第１のケーシングと、
前記第１のケーシングとの間に前記第１のインペラ及び前記第２のインペラを収容する第２のケーシングと、
前記第１のインペラと前記第２のインペラとの間に配置されて前記回転軸が回転可能に挿入される中間ケーシングであって、前記第１のインペラが収容されるポンプ室と前記第２のインペラが収容されるポンプ室とを仕切る中間ケーシングと
を具備することを特徴とするポンプ装置。
【請求項２】
前記第１のインペラは、前記中間ケーシングに対向する面にのみ羽根溝が形成され、
前記第２のインペラは、前記中間ケーシングに対向する面にのみ羽根溝が形成される
ことを特徴とする請求項１に記載のポンプ装置。
【請求項３】
前記中間ケーシングは、前記回転軸が挿入されるとともに前記回転軸の径よりも大きな径を有する貫通孔が形成され、
前記第１のインペラと前記第２のインペラとの少なくとも一方は、他方に向かって突出する突出部であって、内部に前記回転軸が挿入されるとともに前記貫通孔を通って前記他方に向かって突出して前記他方に当接することによって前記第１のインペラと前記中間ケーシングとの間の隙間を形成し、かつ、前記第２のインペラと前記中間ケーシングとの間の隙間を形成する突出部を具備する
ことを特徴とする請求項１または２に記載のポンプ装置。
【請求項４】
前記第１のケーシングと前記第２のケーシングとは、内部に前記中間ケーシングを収容可能な外郭体を形成する
ことを特徴とする請求項１〜３のうちのいずれか１項に記載のポンプ装置。
【請求項５】
前記第１のインペラと前記第２のインペラと前記中間ケーシングとを具備する複数の組立体と、
互いに隣り合う一対の前記組立体間に設けられて、内部に前記回転軸が回転可能に挿入されるとともにこれら前記一対の前記組立体を仕切る仕切壁部と
を具備することを特徴とする請求項１〜３のうちのいずれか１項に記載のポンプ装置。
【請求項６】
前記第１のケーシングと前記第２のケーシングとは、前記複数の組立体と前記仕切壁部とを収容可能な外郭体を形成する
ことを特徴とする請求項５に記載のポンプ装置。
【請求項７】
前記第１のインペラと前記第２のインペラと前記中間ケーシングとを具備する１つ以上の組立体と、
前記ケーシング内に収容されるとともに前記回転軸に設けられて前記回転軸の回転に伴って回転可能な第３のインペラと、
互いに隣り合う前記組立体と前記第３のインペラとの間に設けられて、内部に前記回転軸が回転可能に挿入されるとともにこれら前記組立体と前記第３のインペラとを仕切る仕切壁部と
を具備することを特徴とする請求項１〜３のうちのいずれか１項に記載のポンプ装置。
【請求項８】
前記第１のケーシングと前記第２のケーシングとは、前記組立体と前記第３のインペラと前記仕切壁部とを収容可能な外郭体を形成する
ことを特徴とする請求項７に記載のポンプ装置。
【発明の詳細な説明】
【技術分野】
【０００１】
本発明は、例えば渦流ポンプ装置等のポンプ装置に関する。
【背景技術】
【０００２】
渦流ポンプでは、主に、両面に羽根溝が形成されるインペラが用いられている。渦流ポンプでは、消費電力の増加を防止しつつ、高揚程化することが求められている。渦流ポンプを高揚程化する手法として、流量を小さくし、かつ、インペラの直径を大きくすることが提案されている。流量を小さくする手法としては、インペラにおいてその回転軸に沿う厚みを小さくし、流路断面積を小さくすることが提案されている（例えば、特許文献１参照）。
【０００３】
しかしながら、インペラにおいてその回転軸に沿う厚みを小さくするとポンプ効率が低下し、揚程も低下する。このため、高揚程化するために、回転軸に対して、両面に羽根溝が設けられるインペラを複数設ける、多段式の渦流ポンプ装置が提案されている。
【先行技術文献】
【特許文献】
【０００４】
【特許文献１】実開平５−７３２８７号公報
【発明の概要】
【発明が解決しようとする課題】
【０００５】
上述したように、両面に羽根溝が形成されるインペラを複数有する多段式の渦流ポンプ装置では、以下の問題があった。すなわち、複数のインペラを有することによって、消費電力が増加してしまう。
【０００６】
本発明は、消費電力の増加を防止しつつ、高揚程化できるポンプ装置を提供することを目的とする。
【課題を解決するための手段】
【０００７】
本発明のポンプ装置は、回転軸と、前記回転軸を回転する駆動部と、前記回転軸の少なくとも一端部が収容されるケーシングと、前記ケーシング内に収容されるとともに前記回転軸に設けられて前記回転軸の回転に伴って回転可能な第１のインペラと、前記ケーシング内に収容されるとともに前記回転軸に設けられて前記回転軸の回転に伴って回転可能な第２のインペラとを具備するポンプ部とを備える。
【０００８】
前記第１のインペラは片面のみ羽根溝が形成される。前記第２のインペラは片面のみ羽根溝が形成される。
【０００９】
前記ケーシングは、前記回転軸が回転可能に挿入される第１のケーシングと、前記第１のケーシングとの間に前記第１のインペラ及び前記第２のインペラを収容する第２のケーシングと、前記第１のインペラと前記第２のインペラとの間に配置されて前記回転軸が回転可能に挿入される中間ケーシングであって、前記第１のインペラが収容されるポンプ室と前記第２のインペラが収容されるポンプ室とを仕切る中間ケーシングとを備える。
【発明の効果】
【００１０】
本発明によれば、消費電力の増加を防止しつつ高揚程化できるポンプ装置を提供できる。
【図面の簡単な説明】
【００１１】
【図１】本発明の第１の実施形態のポンプ装置を一部切欠して示す正面図。
【図２】同ポンプ装置を、回転軸の軸線回りに、図１に示される姿勢に対して９０度回転した状態を一部切欠して示す断面図。
【図３】同ポンプ装置のケーシング本体を示す平面図。
【図４】同ポンプ装置の中間ケーシングを示す平面図。
【図５】同中間ケーシングを示す下面図。
【図６】同ポンプ装置の第１のインペラを示す平面図。
【図７】図６に示すＦ７−Ｆ７線に沿って示す同第１のインペラの断面図。
【図８】本発明の第２の実施形態のポンプ装置を示す断面図。
【図９】本発明の第３の実施形態のポンプ装置を示す断面図。
【発明を実施するための形態】
【００１２】
本発明の第１の実施形態に係るポンプ装置を、図１〜７を用いて説明する。図１は、本実施形態のポンプ装置１０を一部切欠して示す正面図である。図２は、ポンプ装置１０を、後述する回転軸２０の軸線回りに、図１に示される姿勢に対して９０度回転した状態を、一部切欠して示す断面図である。ポンプ装置１０は、一例として、渦流ポンプ装置である。ポンプ装置１０は、吸込口６６から吸い込んだ液体の一例である水を増圧して吐出口６７から吐出可能に構成されている。
【００１３】
図１，２に示すように、ポンプ装置１０は、回転軸２０と、回転軸２０を回転可能に構成される電動モータ（駆動部）３０と、ポンプ部４０とを有している。
【００１４】
電動モータ３０は、ケーシング３１と、固定子と、回転子と、回転軸部とを有している。固定子は、ケーシング内に収容されている。回転子は、ケーシング３１内に収容されており、固定子に対して回転可能に形成されている。回転軸部は、回転子に固定されており、回転子と一体に回転可能に形成されている。
【００１５】
電動モータ３０の回転軸部は、回転軸２０に、互いの軸線を合わせた姿勢で連結されており、かつ、回転軸２０と一体に回転可能に固定されている。このため、電動モータ３０が駆動されると、回転軸２０がその軸線回りに回転する。
【００１６】
回転軸２０は、その軸線回りに回転することによって、ポンプ部４０を駆動する。なお、回転軸２０は、電動モータ３０の回転軸部に対して固定されており、電動モータ３０の回転軸部に対して別部材である。他の例としては、回転軸２０は、電動モータ３０の回転軸部が延長されたものであってもよい。つまり、回転軸２０に代えて、電動モータ３０の回転軸部がポンプ部４０を駆動可能に形成されてもよい。
【００１７】
ポンプ部４０は、ケーシング５０と、ケーシング５０内に収容される第１のインペラ８０と、ケーシング５０内に収容される第２のインペラ９０と、インペラ８０，９０を回転軸２０の回転伴って回転可能に回転軸２０に固定する固定構造と、ポンプ部４０からの水の漏れを防止可能に形成されるメカニカルシール１１０とを有している。
【００１８】
ケーシング５０は、有底筒状に形成されるケーシング本体６０と、ケーシング本体６０に設けられる脚部５１と、ケーシング本体６０に設けられる吸込口用連結部５２と、ケーシング本体６０に設けられる吐出口用連結部５３と、ケーシング本体６０の開口６１を閉塞可能に形成されるケーシングカバー（第１のケーシング）５４と、ケーシング本体（第２のケーシング）６０内に収容される中間ケーシング７０とを有している。
【００１９】
図３は、ケーシング本体６０を示す平面図である。図３に示すように、ケーシング本体６０は、有底筒状に形成されており、筒形状の一例として円筒状である。ケーシング本体６０は、底壁部６２と、周壁部６３とを有しており、一端に開口６１が形成されている。
【００２０】
ケーシング本体６０内には、その底面６４及び内周面６３ａによって、収容空間が形成されている。内周面６３ａは、ケーシング本体６０の軸線に直交する断面が正円（半径が一定である円）となる形状である。
【００２１】
ケーシング本体６０の底壁部６２は、後述される第１のインペラ８０のボス部８１に対向する部分が、他の部分に比べて突出している。底面６４において第１のインペラ８０のボス部８１と対向する部分は、周囲に対して凹む凹部６５となっている。底面６４において凹部６５の周囲の部分は、後述される第１のインペラ８０の羽根部８２と対向する部分であり、回転軸２０の軸線に直交する平面である。底壁部６２において凹部６５に対応する部分には、ドレンプラグ２００が設けられている。
【００２２】
脚部５１は、一例として複数設けられており、さらに一例として、３つ設けられている。脚部５１は、ケーシング本体６０の底部の周縁に設けられており、ケーシング本体６０の軸線回りに等間隔離間して配置されている。
【００２３】
なお、図１，２に示すように、脚部５１は、設置面５上に設置される。ここで、ポンプ装置１０の上下方向について説明する。重力の作用する方向を下方向として、下方向に対して逆方向を上方向として、上下方向を設定する。ケーシング本体６０は、その軸線が上下方向に平行となる姿勢となるように、かつ、開口６１が上端となるように設置面５上に設置される。
【００２４】
周壁部６３の下端部には、吸込口６６が形成されている。吸込口６６は、周壁部６３を貫通している。吸込口６６を通して、ケーシング本体６０の内と外とが連通している。周壁部６３の上端部には、吐出口６７が形成されている。吐出口６７は、周壁部６３を貫通している。吐出口６７を通して、ケーシング本体６０の内と外とが連通している。吸込口６６と吐出口６７とは、ケーシング本体６０の軸線回りに、互いに約９０度離間して配置されている。
【００２５】
吸込口用連結部５２は、筒形状であり、吸込口６６に連通するように、周壁部６３の外面に設けられている。吸込口用連結部５２は、径方向外側に突出している。吸込口用連結部５２は、ポンプ装置１０に水を導く流路、例えば鋼管等が連結可能に形成されている。
【００２６】
吐出口用連結部５３は、筒形状であり、吐出口６７に連通するように、周壁部６３の外面に設けられている。吐出口用連結部５３は、径方向外側に突出している。吐出口用連結部５３は、ポンプ装置１０が吐出した水を外部に導く流路、例えば鋼管等が連結可能に形成されている。
【００２７】
中間ケーシング７０は、図１，２に示すように、ケーシング本体６０内に収容されてケーシング本体６０内に嵌合可能に形成される円筒形状の部材である。中間ケーシング７０は、ケーシング本体６０内を第１のポンプ室Ｐ１と第２のポンプ室Ｐ２とに仕切ることが可能に形成される仕切部７１と、仕切部７１の周縁に設けられて仕切部７１に対して立ち上がる周壁部７２とを有している。
【００２８】
図４は、中間ケーシング７０を示す平面図である。図４に示すように、仕切部７１は、平面形状が円であり、所定の厚みを有している。仕切部７１は、その中心に、仕切部７１を貫通する貫通孔７３が形成されている。貫通孔７３は、後述される第１のインペラ８０のボス部８１及び第２のインペラ９０のボス部８１を、回転可能に挿入する大きさを有している。
【００２９】
周壁部７２は、仕切部７１の周縁に設けられており、仕切部７１を挟んで両側に延びている。周壁部７２は、円柱形状である。言い換えると、仕切部７１は、周壁部７２の内面において軸方向の中腹部に設けられており、周壁部７２によって囲まれる空間を中間ケーシング７０の軸方向に２分している。
【００３０】
中間ケーシング７０は、その軸線をケーシング本体６０の軸線に重ね合わせた姿勢で、ケーシング本体６０内に収容される。周壁部７２は、その下端が、ケーシング本体６０内の底面６４に当接している。周壁部７２は、ケーシング本体６０内に嵌合する大きさ、形状を有している。周壁部７２をその軸線に直交する切断面で切断した断面では、周壁部７２の内面は、正円（半径が一定となる円）となる。
【００３１】
中間ケーシング７０をケーシング本体６０内に設置すると、周壁部７２がケーシング本体６０の内面に嵌合する。このため、仕切部７１は、ケーシング本体６０内をケーシング本体６０の軸方向に２分する。
【００３２】
仕切部７１は、ケーシング本体６０内を、その軸方向に、吸込口６６が形成される側と、吐出口６７が形成される側とに分けている。具体的に説明すると、ケーシング本体６０内は、仕切部７１によって、第１のポンプ室Ｐ１と第２のポンプ室Ｐ２とに分けられる。第１のポンプ室Ｐ１は、仕切部７１に対して下方に位置している。第２のポンプ室Ｐ２は、仕切部７１に対して上方に位置している。
【００３３】
吸込口６６は、ケーシング本体６０の周壁部６３において第１のポンプ室Ｐ１と対向する部分に形成されている。吐出口６７は、ケーシング本体６０の周壁部６３において第２のポンプ室Ｐ２と対向する部分に形成されている。
【００３４】
中間ケーシング７０の周壁部７２には、吸込口７４と、連通口７５と、吐出口７６とが形成されている。図１に示すように、吸込口７４は、中間ケーシング７０の周壁部７２の仕切部７１よりも下方の部分においてケーシング本体６０の吸込口６６に対向する部分に形成されている。
【００３５】
図５は、中間ケーシング７０を示す下面図である。図５は、図４に示される中間ケーシング７０を下方から見た状態を示している。図５に示すように、吸込口７４は、周壁部７２を貫通しており、ケーシング本体６０の吸込口６６に連通している。
【００３６】
仕切部７１において吸込口７４の近傍の部分は、吸込口７４から流入した水をスムーズに下流側に導くためのテーパー部７７が形成されている。テーパー部７７は、仕切部７１の厚みを薄くすることによって形成されている。
【００３７】
図２に示すように、吐出口７６は、中間ケーシング７０の周壁部７２の仕切部７１よりも上方の部分においてケーシング本体６０の吐出口６７に対向する部分に形成されている。図４に示すように、吐出口７６は、周壁部７２を貫通しており、ケーシング本体６０の吐出口６７に連通している。
【００３８】
連通口７５は、仕切部７１を貫通している。連通口７５は、第１のポンプ室Ｐ１内を流れた水を、第２のポンプ室Ｐ２内に導くことが可能に形成されている。
【００３９】
図６は、第１のインペラ８０を示す平面図である。図７は、図６に示すＦ７−Ｆ７線に沿って示す第１のインペラ８０の断面図である。なお、第１のインペラ８０と第２のインペラ９０とは、同じ形状である。このため、第２のインペラ９０は、第１のインペラ８０と同一の符号を付して説明を省略する。
【００４０】
図６，７に示すように、第１のインペラ８０は、ボス部８１と、羽根部８２とを有している。ボス部８１は、円筒形状である。ボス部８１内には、回転軸２０が挿入可能に形成される貫通孔８３が形成されている。貫通孔８３は、ボス部８１をその軸方向に貫通している。貫通孔８３は、回転軸２０が嵌合可能な大きさを有している。貫通孔８３には、キーが挿入可能なキー溝８４が形成されている。
【００４１】
羽根部８２は、ボス部８１の一端に寄った位置に形成されている。羽根部８２は、ボス部８１の周面から径方向に延びている。羽根部８２は、平面形状が円である。ボス部８１の一端から羽根部８２までの長さＬ１は、ボス部８１の他端から羽根部８２までの長さＬ２よりも長い。
【００４２】
ボス部８１においてボス部８１の軸線に沿う羽根部８２の一端からボス部８１の一端までの部分を、第１の部分８５とし、ボス部８１においてボス部８１の軸線に沿う羽根部８２の他端からボス部８１の他端までの部分を、第２の部分８６とする。第１の部分８５の長さＬ１と、第２の部分８６の長さＬ２については、後で具体的に説明する。
【００４３】
羽根部８２において第１の部分８５側の第１の面８７は周縁部には、羽根溝８８が形成されている。羽根溝８８は、全周にわたって、複数形成されている。第１の面８７に対して反対側となる第２の面８９は、ボス部８１の軸線に対して直交する平面である。第１の面８７において羽根溝８８が形成されていない部分は、ボス部８１に対しての軸線に対して直交する平面である。
【００４４】
図１に示すように、第１のインペラ８０は、第１のポンプ室Ｐ１内に収容されている。第１のインペラ８０は、第１の面８７を中間ケーシング７０の仕切部７１に向けた姿勢で配置されている。第１のインペラ８０のボス部８１の第２の部分８６は、凹部６５内に収容されている。凹部６５は、第２の部分８６に接触することがない大きさに形成されている。
【００４５】
第２のインペラ９０は、第２のポンプ室Ｐ２に収容されている。第２のインペラ９０は、第１の面８７を中間ケーシング７０の仕切部７１に向けた姿勢で配置されている。
【００４６】
第１のインペラ８０のボス部８１の第１の部分８５は、中間ケーシング７０の仕切部７１の貫通孔７３内に挿入されている。第２のインペラ９０のボス部８１の第１の部分８５は、仕切部７１の貫通孔７３内に挿入されている。仕切部７１の貫通孔７３は、ボス部８１が回転可能な大きさを有している。具体的には、仕切部７１の貫通孔７３は、ボス部８１と同じ、または、ボス部８１に対して若干大きく形成されている。
【００４７】
中間ケーシング７０の仕切部７１において、インペラ８０，９０の羽根溝８８に対向する部分には、水が流れる流路を形成する溝７８が形成されている。
【００４８】
図１に示すように、ケーシングカバー５４は、ケーシング本体６０の開口６１を閉塞可能に形成されている。中間ケーシング７０の周壁部７２の上端の内縁には、周方向に延びる溝７９が形成されている。ケーシングカバー５４には、溝７９内に嵌まる嵌合部５５が形成されている。ケーシングカバー５４おいてケーシング本体６０内に露出する面５６は、ケーシング本体６０の軸線に直交する平面である。
【００４９】
ケーシングカバー５４において、ケーシング本体６０の開口６１の近傍に接触する部分には、シール構造の一例としてのＯリング５７が形成されている。ケーシングカバー５４の上端部には、回転軸２０を回転可能に挿入する貫通孔５８が形成されている。
【００５０】
ケーシングカバー５４は、その中央部分に、メカニカルシール１１０と、第２のインペラ９０のボス部８１の第２の部分８６とを収容可能な収容部５９が形成されている。収容部５９は、ケーシングカバー５４の中央部分が上方に突出することによって形成されている。
【００５１】
回転軸２０は、その軸線が上下方向に平行となる姿勢で、ケーシング５０内に挿入されている。回転軸２０は、ケーシングカバー５４の貫通孔５８と、インペラ８０，９０の貫通孔８３とに挿入されている。
【００５２】
回転軸２０において、第１のインペラ８０のボス部８１内及び第２のインペラ９０のボス部８１内に挿入される部分には、キーが嵌合されるキー溝２１が形成されている。インペラ８０，９０とは、キーを介して回転軸２０に係合される。このため、インペラ８０，９０は、回転軸２０と一体に回転可能となる。キーとキー溝とは、インペラを回転軸の回転伴って回転するべく回転軸に固定する固定構造の一例を構成している。
【００５３】
なお、インペラ８０，９０のキー溝８４は、回転軸２０の軸方向に延びている。このため、インペラ８０，９０は、回転軸２０の軸方向に移動可能に係合される。
【００５４】
回転軸２０の先端部には、止め輪１２０が設けられている。止め輪１２０は、回転軸２０に対して着脱可能である。止め輪１２０は、第１のインペラ８０に接触することによって、第１のインペラ８０が回転軸２０から抜けることを防止可能に形成されている。止め輪１２０は、回転軸２０に対する固定位置を回転軸２０の軸方向に移動可能に形成されている。
【００５５】
メカニカルシール１１０は、ケーシングカバー５４の収容部５９内に設けられている。メカニカルシール１１０は、第２のインペラ９０から貫通孔５８の範囲に設けられており、貫通孔５８から水が漏れることを防止可能に形成されている。
【００５６】
ここで、インペラ８０，９０のボス部８１の第１の部分８５の長さＬ１と、中間ケーシング７０の周壁部７２の軸方向の長さと、回転軸２０に対する止め輪１２０の固定位置とについて、具体的に説明する。
【００５７】
上述のように、第１のインペラ８０は、止め輪１２０に当接することによって、回転軸２０に対する軸方向の位置が固定される。より具体的には、第１のインペラ８０は、第２の部分８６が止め輪１２０に当接することによって、回転軸２０に対する位置が固定される。
【００５８】
回転軸２０に対する止め輪１２０の位置は、ケーシング本体６０の底面６４と第１のインペラ８０の第２の面８９との間に、所定の隙間が形成される位置である。底面６４と第２の面８９との間の隙間は、ポンプ装置１０に求められる性能、具体的には、最高揚程に基づいて設定されている。なお、これら隙間は、小さいものであり、図面上では示されていないが、実際には存在する。
【００５９】
中間ケーシング７０の周壁部７２の軸方向の長さは、第１のインペラ８０の第１の面８７と仕切部７１との間に所定の隙間が形成される長さである。言い換えると、中間ケーシング７０における仕切部７１までの深さは、第１のインペラ８０の羽根部８２の厚みよりも大きく、第１のインペラ８０の第１の面８７と仕切部７１との間に所定の隙間が形成されるように設定されている。仕切部７１と第１の面８７との間の隙間は、ポンプ装置１０に求められる性能、具体的には、最高揚程に基づいて設定されている。
【００６０】
第１のインペラ８０の第１の部分８５の先端は、第２のインペラ９０の第１の部分８５の先端に当接している。第１の部分８５の長さL１は、第２のインペラ９０の第１の面８７と仕切部７１との間に所定の隙間が形成される長さを有している。
【００６１】
なお、中間ケーシング７０の周壁部７２の長さ（軸線方向に沿う長さ）は、ケーシングカバー５４の面５６と第２のインペラ９０の第２の面８９との間に、所定の隙間が形成されるように設定されている。
【００６２】
このように、回転軸２０に対する止め輪１２０の固定位置と、中間ケーシング７０の周壁部７２の軸方向の長さと、ボス部８１の第１の部分８５の長さＬ１とは、第１のインペラ８０の第２の面８９とケーシング本体６０の底面６４との間に所定の隙間が形成され、第１のインペラ８０の第１の面８７と仕切部７１との間に所定の隙間が形成され、第２のインペラ９０の第１の面８７と仕切部７１との間に所定の隙間が形成され、第２のインペラ９０の第２の面８９とケーシングカバー５４の面５６との間に所定の隙間が形成されるように設定されている。
【００６３】
次に、ポンプ装置１０の動作を説明する。電動モータ３０が駆動すると、回転軸２０がその軸線回りに回転する。回転軸２０が回転することによって、インペラ８０，９０が回転する。
【００６４】
第１のインペラ８０が回転することによって、吸込口６６，７４を通して水が第１のポンプ室Ｐ１内に吸い込まれる。第１のポンプ室Ｐ１内に吸い込まれた水は、図５に示すように、矢印に沿って、吸込口７４から連通口７５まで流れる。水は、吸込口７４から連通口７５まで流れる際に第１のインペラ８０の回転によって増圧される。
【００６５】
第２の面８９は、平面であって羽根溝が形成されていない。第１の面８７は、その外周縁部に羽根溝８８が形成されている。このため、第２の面８９においてケーシング本体６０の底面６４との間に隙間を形成する部分の面積は、第１の面８７において仕切部７１との間に隙間を形成する部分の面積よりも大きい。
【００６６】
このため、ケーシング本体６０の底面６４と第２の面８９との間の隙間のシール性は、仕切部７１と第１の面８７との間の隙間のシール性よりも高くなる。したがって、ケーシング本体６０の底面６４と第２の面８９との間の隙間内の圧力が仕切部７１と第１の面８７との間の隙間内の圧力よりも高くなるため、第１のインペラ８０に、第２の面８９から第１の面８７に向かう方向にアキシャル荷重が作用する。本実施形態では、第１のインペラ８０には、上方に向かうアキシャル荷重が作用する。
【００６７】
水は、連通口７５から第２のポンプ室Ｐ２に流入する。第２のポンプ室Ｐ２に流入した水は、吐出口７６まで流れる際に、第２のインペラ９０の回転によって増圧される。吐出口７６まで流れた水は、吐出口７６，６７を通って、ポンプ部４０の外へ吐出される。
【００６８】
また、第１のインペラ８０に作用するアキシャル荷重の発生理由と同様の理由により、第２のインペラ９０の第２の面８９とケーシングカバー５４の面５６との間の隙間内の圧力が、仕切部７１と第１の面８７との間の隙間内の圧力よりも高くなるため、第２のインペラ９０には、第２の面８９から第１の面８７に向かうアキシャル荷重が作用する。本実施形態では、第２のインペラ９０には、下方に向かうアキシャル荷重が作用する。
【００６９】
インペラ８０，９０は、第１の面８７にのみ羽根溝８８が形成されるため、吸込口６６から吸い込む水の流量は、両面に羽根溝が形成されるインペラを用いる場合に比較して、略半分となる。さらに、インペラ８０，９０は、片面にのみ羽根溝８８が形成されるため、両面に羽根溝が形成されるインペラを２つ用いる場合に比較して、消費電力が略半分になる。
【００７０】
このように構成されたポンプ装置１０では、流量及び消費電力を、両面に羽根溝が形成されるインペラを用いる構造に対して、略半分にすることができる。このため、消費電力の増加を防止しつつ、ポンプ装置１０をより一層高揚程化することができる。
【００７１】
この点について具体的に説明する。ポンプ装置を高揚程化する手法として、流量を小さくする手法がある。ポンプ装置１０は、両面に羽根溝が形成されるインペラを用いる構造に比較して流量を略半分にすることができる。
【００７２】
さらに、第１のインペラ８０を回転するために必要な消費電力は、両面に羽根溝が形成される１つのインペラを回転するために必要な消費電力の略半分である。このため、第１のインペラ８０及び第２のインペラ９０を有するポンプ装置１０の消費電力は、両面に羽根溝が形成される１つのインペラを有するポンプ装置の消費電力と略同じとなる。
【００７３】
このように、ポンプ装置１０は、高揚程化すべく２つのインペラ８０，９０を用いても、両面に羽根溝が形成される１つのインペラを有するポンプ装置の消費電力と略同じにすることができる。さらに、流量を両面に羽根溝が形成される１つのインペラを有するポンプ装置に対して略半分とすることができる。
【００７４】
このように、消費電量の増加を防止しつつ、高揚程化するための手法である、流量を小さくするという手法と、インペラを複数用いるという手法とを用いることができる。このため、ポンプ装置１０は、消費電力の増加を防止しつつ、高揚程化するとこができる。
【００７５】
また、ケーシング本体６０内に中間ケーシング７０が収容され、ケーシング本体６０とケーシングカバー５４との間にのみシール構造（Ｏリング５７）が設けられる。このため、シール箇所を少なくすることができるので、ポンプ部４０からの水漏れの発生を防止することができる。
【００７６】
さらに、中間ケーシング７０がケーシング本体６０内に収容されるため、ケーシング５０をコンパクトにすることができる。この点について、具体的に説明する。ケーシング５０が、例えば、中間ケーシングと、中間ケーシングとの間に第１のポンプ室Ｐ１を形成する第１のケーシングと、中間ケーシングとの間に第２のポンプ室Ｐ２を形成する第２のケーシングとを有する場合では、中間ケーシングの周縁部と第１のケーシングの周縁部とが互いに当接し、液密にシールされる。同様に、中間ケーシングの周縁部と第２のケーシングの周縁部とが互いに当接し、液密にシールされる。このため、中間ケーシングと第１のケーシングとには、互いを固定するために用いられるフランジが張り出す形状となる。同様に、中間ケーシングと第２のケーシングとは、互いを固定するために用いられるフランジが張り出す形状となる。
【００７７】
このように、中間ケーシングと第１のケーシングと第２のケーシングとを有するケーシングは、フランジが張り出す形状となるため、形状が大型化する。
【００７８】
しかしながら、本実施形態のポンプ装置１０は、ケーシング本体６０内に中間ケーシング７０が収容されるため、上記のフランジなどが不要となる。このため、ケーシング５０をコンパクトにすることができる。
【００７９】
また、第１のインペラ８０と第２のインペラ９０とは、各々に作用するアキシャル荷重が釣り合うことによってその和が零となる姿勢で配置されている。具体的には、互いに第１の面８７が向かい合う姿勢で配置されており、互いのボス部８１の第１の部分８５を当接している。
【００８０】
このため、インペラ８０，９０を回転軸２０に沿って移動しようとする力が打ち消されるので、第１のインペラ８０が仕切部７１またはケーシング本体６０の底面６４に接触することを防止できる。同様に、第２のインペラ９０が、仕切部７１またはケーシングカバー５４に接触することを防止できる。このため、インペラ８０，９０の面８６，８９と面６４，６５及び仕切部７１との間の隙間を小さく設定することができるので、ポンプ装置１０の性能を向上することができる。
【００８１】
次に、本発明の第２の実施形態に係るポンプ装置１０Ａを、図８を用いて説明する。なお、第１の実施形態と同様の機能を有する構成は、第１の実施形態と同一の符号を付して説明を省略する。本実施形態では、ポンプ部４０に代えてポンプ部４０Ａを有する点が第１の実施形態に対して異なる。
【００８２】
具体的には、ポンプ部４０Ａは、第１のインペラ８０と第２のインペラ９０と中間ケーシング７０とからなる組立体１３０を２つ備えている。このため、ポンプ部４０Ａのケーシング本体６０Ａは、これら一対の組立体１３０を収容可能となる大きさを有している。
【００８３】
このため、一対の組立体１３０を有する点と、組立体１３０を仕切る仕切壁部１４０を有する点と、ケーシング本体６０に代えてケーシング本体６０Ａを有する点が、第１の実施形態に対して異なる。他の構造は、第１の実施形態と同じである。上記異なる点について、具体的に説明する。
【００８４】
図８は、本実施形態のポンプ装置１０Ａを示す断面図である。図８に示すように、ポンプ装置１０Ａは、回転軸２０と、電動モータ３０と、ポンプ部４０Ａとを有している。なお、図８では、回転軸２０の一部と、ポンプ部４０Ａとを拡大して示している。また、ポンプ部４０Ａは、ケーシング５０と、ケーシング５０内に収容される第１のインペラ８０及び第２のインペラ９０と、インペラ８０，９０を回転軸２０の回転伴って回転可能に回転軸２０に固定する固定構造と、ポンプ部４０Ａからの漏れを防止可能に形成される軸封部の一例としてのメカニカルシール１１０とを有している。
【００８５】
ケーシング５０は、有底筒状に形成されるケーシング本体６０Ａと、ケーシング本体６０Ａに設けられる脚部５１と、ケーシング本体６０Ａに設けられる吸込口用連結部５２と、ケーシング本体６０Ａに設けられる吐出口用連結部５３と、ケーシング本体６０Ａの開口６１を閉塞可能に形成されるケーシングカバー５４と、ケーシング本体６０Ａ内に収容される中間ケーシング７０とを有している。なお、図８中では、吐出口用連結部５３は、２点鎖線で示している。
【００８６】
ケーシング本体６０Ａは、有底筒状に形成されており、筒形状の一例として円筒状である。ケーシング本体６０Ａは、底壁部６２と、周壁部６３とを有しており、一端に開口６１が形成されている。
【００８７】
ケーシング本体６０Ａ内には、その底面６４及び内周面６３ａによって、収容空間が形成されている。内周面６３ａは、ケーシング本体６０Ａの軸線に直交する断面が正円（半径が一定である円）となる形状である。
【００８８】
ケーシング本体６０Ａは、その収容空間内に、第１のインペラ８０と中間ケーシング７０と第２のインペラ９０とからなる組立体１３０を複数収容可能に形成されている。本実施形態では、ケーシング本体６０Ａは、一例として、２つの組立体１３０が収容可能に形成されている。
【００８９】
なお、ケーシング本体６０Ａは、第１の実施形態で用いられたケーシング本体６０を軸方向に延ばした形状であり、軸方向の長さが異なる点以外、ケーシング本体６０と同じである。
【００９０】
組立体１３０における、第１のインペラ８０と第２のインペラ９０と中間ケーシング７０との互いの相対位置は、第１の実施形態で説明した位置関係と同様である。具体的には、第１のインペラ８０と第２のインペラ９０とは、第１の面８７を中間ケーシング７０の仕切部７１に対向する姿勢で、配置されている。
【００９１】
一方の組立体１３０と他方の組立体１３０との間には、仕切壁部１４０が設けられている。仕切壁部１４０は、所定の厚みを有し、平面形状がケーシング本体６０Ａ内に嵌合する形状である、板状部材である。
【００９２】
仕切壁部１４０は、一方の組立体１３０の中間ケーシング７０の周壁部７２の上端縁と、他方の組立体１３０の中間ケーシング７０の周壁部７２の下端縁との間に挟持されている。仕切壁部１４０において一方の組立体１３０の中間ケーシング７０の周壁部７２の上端に当接する部分には、周壁部７２の溝７９に嵌合する嵌合部１４１が形成されている。
【００９３】
仕切壁部１４０の両面は、ケーシング本体６０Ａの軸線に対して直交する平面である。仕切壁部１４０の中央部には、貫通孔１４２が形成されている。貫通孔１４２は、インペラ８０，９０のボス部８１の第２の部分８６を回転可能に挿入できる大きさを有している。
【００９４】
仕切壁部１４０を挟んで一方側に配置される組立体１３０の第２のインペラ９０のボス部８１の第２の部分８６は、仕切壁部１４０の貫通孔１４２内に挿入されている。仕切壁部１４０を挟んで他方側に配置される組立体１３０の第１のインペラ８０のボス部８１の第２の部分８６は、仕切壁部１４０の貫通孔１４２内に挿入されている。貫通孔１４２内に挿入される両第２の部分８６は、その先端どうしが互いに当接している。
【００９５】
ここで、仕切壁部１４０の厚みと、ボス部８１の第２の部分８６の長さＬ２について、具体的に説明する。仕切壁部１４０の厚みと第２の部分８６の長さＬ２とは、第２の部分８６の先端どうしが互いに当接した状態において、一方の組立体１３０の第２のインペラ９０の第２の面８９と仕切壁部１４０との間に所定の隙間が形成され、かつ、他方の組立体１３０第１のインペラ８０の第２の面８９と仕切壁部１４０との間に所定の隙間が形成されるように、設定されている。
【００９６】
仕切壁部１４０には、連通口１４３が形成されている。連通口１４３は、仕切壁部１４０を貫通している。
【００９７】
吸込口６６は、ケーシング本体６０の周壁部６３において、複数並ぶインペラのうち一端に配置されるインペラが収容されるポンプ室に対向する部分に形成されている。本実施形態では、全部で、４つのインペラが並んでいる。一端に配置されるインペラは、図中下方に配置される組立体１３０の第１のインペラ８０である。吸込口６６は、周壁部６３において、図中下方に配置される組立体１３０の第１のインペラ８０が収容される第１のポンプ室Ｐ１に対向する部分に形成される。
【００９８】
吐出口６７は、ケーシング本体６０の周壁部６３において、複数並ぶインペラのうち他端に配置されるインペラが収容されるポンプ室に対向する部分に形成されている。本実施形態では、他端に配置されるインペラは、図中上方に配置される組立体１３０の第２のインペラ９０である。吐出口６７は、周壁部６３において、図中上方に配置される組立体１３０の第２のインペラ９０が収容される第２のポンプ室Ｐ２に対向する部分に形成される。
【００９９】
なお、本実施形態では、全ての中間ケーシング７０に吸込口７４と吐出口７６が形成されてはいない。中間ケーシング７０において、ケーシング本体６０の吸込口６６と対向する部分にのみ、吸込口７４が形成されている。同様に、中間ケーシング７０において、ケーシング本体６０の吐出口６７と対向する部分にのみ、吸込口７４が形成されている。
【０１００】
本実施形態では、図中下方に配置される組立体１３０の中間ケーシング７０の周壁部７２にのみ、吸込口７４が形成されている。同様に、図中上方に配置される組立体１３０の中間ケーシング７０の周壁部７２にのみ、吐出口７６が形成されている。
【０１０１】
次に、ポンプ装置１０Ａの動作を説明する。電動モータ３０が駆動されることによって、水が、吸込口６６，７４を通って図中下方に配置される組立体１３０の第１のポンプ室Ｐ１内に吸い込まれる。第１のポンプ室Ｐ１内に吸い込まれた水は、中間ケーシング７０の連通口７５を通って、第２のポンプ室Ｐ２に流入する。
【０１０２】
第２のポンプ室Ｐ２に流入した水は、仕切壁部１４０の連通口１４３を通って、図中上方に配置される組立体１３０の第１のポンプ室Ｐ１内に流入する。第１のポンプ室Ｐ１内に流入した水は、中間ケーシング７０の連通口７５を通って第２のポンプ室Ｐ２内に流入する。第２のポンプ室Ｐ２内に流入した水は、吐出口７６，６５を通って、外部に吐き出される。このように、本実施形態では、水は、４つのインペラによって増圧された後、吐き出される。
【０１０３】
本実施形態では、第１の実施形態と同様の効果が得られる。また、複数の組立体１３０を有することによって、最高揚程をさらに向上することができる。なお、組立体１３０の数は、２つに限定されるものではない。組立体１３０の数は、ポンプ装置に求められる性能に応じて決定することができる。組立体１３０を複数用いる場合は、隣り合う組立体１３０間に仕切壁部１４０を設置する。
【０１０４】
次に、本発明の第３の実施形態に係るポンプ装置１０Ｂを、図９を用いて説明する。なお、第１の実施形態と同様の機能を有する構成は、第１の実施形態と同一の符号を付して説明を省略する。本実施形態では、ポンプ部４０に代えてポンプ部４０Ｂが用いられる点が第１の実施形態に対して異なる。
【０１０５】
具体的には、ポンプ部４０Ｂは、さらに第３のインペラ１６０を有している。このため、ポンプ部４０Ｂのケーシング本体６０Ｂは、第３のインペラ８０，９０と中間ケーシング７０に加えて、第３のインペラ１６０をさらに収容可能となる大きさを有している。
【０１０６】
このため、第３のインペラ１６０を有する点と、インペラ８０，９０と中間ケーシング７０からなる組立体１３０と第３のインペラ１６０とを仕切る仕切壁部１５０を有する点と、ケーシング本体６０に代えてケーシング本体６０Ｂを有する点が、第１の実施形態に対して異なる。他の構造は、第１の実施形態と同じである。上記異なる点について、具体的に説明する。
【０１０７】
図９は、本実施形態のポンプ装置１０Ｂを示す断面図である。図９に示すように、ポンプ装置１０Ｂは、回転軸２０と、電動モータ３０と、ポンプ部４０Ｂとを有している。なお、図９では、回転軸２０の一部と、ポンプ部４０Ｂとが拡大して示されている。
【０１０８】
ポンプ部４０Ｂは、ケーシング５０と、ケーシング５０内に収容される第１のインペラ８０と第２のインペラ９０と第３のインペラ１６０と、インペラ８０，９０，１６０を回転軸２０の回転伴って回転可能とするべく回転軸２０に固定する固定構造と、ポンプ部４０Ｂからの水漏れを防止可能に形成されるメカニカルシール１１０とを有している。
【０１０９】
ケーシング５０は、有底筒状に形成されるケーシング本体６０Ｂと、ケーシング本体６０Ｂに設けられる脚部５１と、ケーシング本体６０Ｂに設けられる吸込口用連結部５２と、ケーシング本体６０Ｂに設けられる吐出口用連結部５３と、ケーシング本体６０Ｂの開口６１を閉塞可能に形成されるケーシングカバー５４と、ケーシング本体６０Ｂ内に収容される中間ケーシング７０と、仕切壁部１５０とを有している。なお、図９では、吐出口用連結部５３は、２点鎖線で示されている。
【０１１０】
ケーシング本体６０Ｂは、有底筒状に形成されており、筒形状の一例として円筒状である。ケーシング本体６０Ｂは、底壁部６２と、周壁部６３とを有しており、一端が開口している。
【０１１１】
ケーシング本体６０Ｂ内には、その底面６４及び内周面６３ａによって、収容空間が形成されている。内周面６３ａは、ケーシング本体６０Ｂの軸線に直交する断面が正円（半径が一定である円）となる形状である。
【０１１２】
第３のインペラ１６０は、ケーシング本体６０Ｂ内の下端部に収容されている。第３のインペラ１６０は、第１のインペラ８０と同じ形状である。このため、第３のインペラ１６０の各部には、第１のインペラ８０と同一の符号を付して説明を省略する。第３のインペラ１６０は、第１の面８７がケーシング本体６０Ｂの底面６４に対向する姿勢で配置されている。第３のインペラ１６０のボス部８１の第１の部分８５は、底面６４の凹部６５内に収容されている。凹部６５は、第３のインペラ１６０の第１の部分８５に接触しないように形成されている。
【０１１３】
止め輪１２０は、本実施形態では、第３のインペラ１６０の抜け止めを行う。止め輪１２０は、回転軸２０において、第３のインペラ１６０の第１の面８７と底面６４との間に所定の隙間が形成される位置に固定されている。ケーシング本体６０Ｂの底面６４において第３のインペラ１６０の羽根溝８８に対向する部分には、水の流路を形成する溝部６９が形成されている。
【０１１４】
第３のインペラ１６０と第１のインペラ８０との間には、仕切壁部１５０が形成されている。仕切壁部１５０の両面は、ケーシング本体６０Ｂの軸線に対して直交する平面である。仕切壁部１５０の中央部には、貫通孔１５１が形成されている。貫通孔１５１は、インペラのボス部８１の第２の部分８６が回転可能に挿入できる大きさを有している。
【０１１５】
ケーシング本体６０Ｂの内周面６３ａには、仕切壁部１５０を支持する支持部６８が形成されている。支持部６８は、内側に突出する形状である。また、支持部６８の上端の内縁には、周方向に延びる溝部６８ａが形成されている。仕切壁部１５０の周縁部には、ケーシング本体６０Ｂの支持部６８の溝部６８ａ内に嵌合する嵌合部１５２が形成されている。
【０１１６】
ケーシング本体６０Ｂの底面６４と、ケーシング本体６０Ｂの内周面６３ａと、仕切壁部１５０とによって、第３のインペラ１６０が収容される第３のポンプ室Ｐ３が形成される。
【０１１７】
第１のインペラ８０のボス部８１の第２の部分８６は、仕切壁部１５０の貫通孔１５１内に挿入されている。第３のインペラ１６０のボス部８１の第２の部分８６は、仕切壁部１５０の貫通孔１５１内に挿入されている。貫通孔１５１内に挿入される両第２の部分８６は、その先端どうしが互いに当接している。
【０１１８】
ここで、仕切壁部１５０の厚みと、ボス部８１の第２の部分８６の長さＬ２について、具体的に説明する。仕切壁部１５０の厚みと第２の部分８６の長さＬ２とは、第２の部分８６の先端どうしが互いに当接した状態において、第１のインペラ８０の第２の面８９と仕切壁部１５０との間に所定の隙間が形成され、かつ、第３のインペラ１６０の第２の面８９と仕切壁部１５０との間に所定の隙間が形成されるように、設定されている。
【０１１９】
仕切壁部１５０には、連通口１５３が形成されている。連通口１５３は、仕切壁部１５０を貫通している。
【０１２０】
第１のインペラ８０と第２のインペラ９０と中間ケーシング７０とからなる組立体１３０は、仕切壁部１５０を挟んで第３のインペラ１６０に対して反対側に配置されている。
【０１２１】
吸込口６６は、ケーシング本体６０の周壁部６３において、複数並ぶインペラのうち一端に配置されるインペラが収容されるポンプ室に対向する部分に形成されている。本実施形態では、全部で、３つのインペラが並んでいる。一端に配置されるインペラは、図中下方に配置される第３のインペラ１６０である。吸込口６６は、周壁部６３において、第３のインペラ１６０が収容される第３のポンプ室Ｐ３に対向する部分に形成される。
【０１２２】
吐出口６７は、ケーシング本体６０の周壁部６３において、複数並ぶインペラのうち他端に配置されるインペラが収容されるポンプ室に対向する部分に形成されている。本実施形態では、他端に配置されるインペラは、組立体１３０の第２のインペラ９０である。吐出口６７は、周壁部６３において、図中上方に配置される組立体１３０の第２のインペラ９０が収容される第２のポンプ室Ｐ２に対向する部分に形成される。なお、本実施形態では、中間ケーシング７０には、吸込口６６は形成されていない。
【０１２３】
インペラ８０，９０，１６０の各々のキー溝８４と回転軸２０のキー溝２１とがキーによって連結されている。このため、インペラ８０，９０，１６０は、回転軸２０と一体に回転する。キー溝２１，８４とキーとは、インペラ８０，９０，１６０を回転軸２０の回転に伴って回転させるべくインペラ８０，９０，１６０を回転軸２０に固定する固定構造の一例である。
【０１２４】
次に、ポンプ装置１０Ｂの動作を説明する。電動モータ３０が駆動されることによって、水が、吸込口６６，７４を通って第３のポンプ室Ｐ３内に吸い込まれる。第３のポンプ室Ｐ３内に吸い込まれた水は、第３のインペラ１６０によって増圧された後、仕切壁部１５０の連通口１５３を通って、組立体１３０の第１のポンプ室Ｐ１内に流入する。
【０１２５】
第１のポンプ室Ｐ１内に流入した水は、中間ケーシング７０の連通口７５を通って第２のポンプ室Ｐ２内に流入する。第２のポンプ室Ｐ２内に流入した水は、吐出口６７，７５を通って、外部に吐出去れる。このように、本実施形態では、水は、３つのインペラによって増圧された後、外部に吐出される。
【０１２６】
本実施形態では、第１の実施形態と同様の効果が得られる。また、３つのインペラ８０，９０、１６０を有することによって、最高揚程をさらに向上することができる。
【０１２７】
なお、組立体１３０の数は、１つに限定されるものではない。組立体１３０の数は、ポンプ装置に求められる性能に応じて決定することができる。複数の組立体１３０が用いられる場合は、隣り合う組立体１３０の間には、第２の実施形態で説明した仕切壁部１４０が用いられる。
【０１２８】
また、第３のインペラ１６０の位置は、ケーシング本体６０の下端に限定されるものではない。例えば、第３のインペラ１６０は、ケーシング本体６０の上端に配置されてもよい。
【０１２９】
なお、第１の実施形態、第２の実施形態、第３の実施形態では、インペラ８０，９０，１６０は、同じ形状を有している。そして、各インペラ８０，９０，１６０のボス部８１は、第１の部分８５と第２の部分８６とを有している。第１の部分８５と第２の部分８６とは、インペラと仕切部７１との間に所定の隙間を形成可能な長さを有している。また、同様に、インペラと仕切壁部１４０，１５０との間に所定の隙間を形成可能な長さを有している。
【０１３０】
他の例としては、仕切部７１を挟んで両側に配置されるインペラ８０，９０の一方にのみ、仕切部７１の貫通孔７３を通って他方に当接することによって、上記の所定の隙間を形成可能な突出部が形成されてもよい。同様に、仕切壁部１４０を挟んで両側に配置されるインペラ８０，９０の一方にのみ、仕切壁部１４０の貫通孔１４２を通って他方に当接することによって、上記の所定の隙間を形成可能な突出部が形成されてもよい。同様に、仕切壁部１５０を挟んで両側に配置されるインペラ１６０，８０の一方にのみ、仕切壁部１５０の貫通孔１５１を通って他方に当接することによって、上記の所定の隙間を形成可能な突出部が形成されてもよい。
【０１３１】
また、図１，２，８，９では、インペラ８０，１６０と底面６４との間の隙間、インペラ８０，９０と中間ケーシング７０の仕切部７１との間の隙間、第２のインペラ９０と面５６との間に隙間、インペラ８０，９０と仕切壁部１４０との間の隙間、インペラ８０，１６０と仕切壁部１５０との間の隙間は、小さいものであり、それゆえ、図示されていない。しかしながら、実際には、隙間は形成されている。
【０１３２】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。さらに、異なる実施形態の構成を組み合わせてもよい。
【符号の説明】
【０１３３】
１０…ポンプ装置（渦流ポンプ装置）、１０Ａ…ポンプ装置（渦流ポンプ装置）、１０Ｂ…ポンプ装置（渦流ポンプ装置）、２０…回転軸、３０…電動モータ（駆動部）、４０…ポンプ部、４０Ａ…ポンプ部、４０Ｂ…ポンプ部、５０…ケーシング、５４…ケーシングカバー（第１のケーシング）、６０…ケーシング本体（第２のケーシング）、７０…中間ケーシング、７３…貫通孔、８０…第１のインペラ、８５…第１の部分（突出部）、９０…第２のインペラ、１３０…組立体、１４０…仕切壁部、１５０…仕切壁部、１６０…第３のインペラ。
【図１】
2016098685.tif 000003
【図２】
2016098685.tif 000004
【図３】
2016098685.tif 000005
【図４】
2016098685.tif 000006
【図５】
2016098685.tif 000007
【図６】
2016098685.tif 000008
【図７】
2016098685.tif 000009
【図８】
2016098685.tif 000010
【図９】
2016098685.tif 000011